【手続補正書】
【提出日】平成18年3月28日(2006.3.28)
【手続補正１】
【補正対象書類名】明細書
【補正対象項目名】全文
【補正方法】変更
【補正の内容】
【書類名】          明細書
【発明の名称】      施肥装置付苗移植機
【特許請求の範囲】
【請求項１】  ペースト状の肥料を施肥する施肥装置を備え、走行車体の後側には苗植付装置を備えてある田植機において、走行車体に配設する運転席の後側にリヤステップを設け、該ステップの近くには肥料移送用の施肥ポンプを設けると共に、前記走行車体の前部側に位置して操作ボックスを挟む左右両側にステップフロアと施肥タンクと予備苗載台とを配設してあることを特徴とする施肥装置付苗移植機。
【発明の詳細な説明】
【０００１】
【発明の属する技術分野】
この発明は、施肥装置を備えた田植機等の苗移植機に関し、農業機械の技術分野に属する。
【０００２】
【従来の技術】
走行車体の前部に操作ボックスを有する操縦装置が設置され、車体後部に苗植付装置が装備され、また、運転席の後方で苗植付装置との間にはリヤステップが装備された田植機等の苗移植機が構成されている。そして、その苗移植機に施肥装置が具備されて、苗の植込と同時に肥料が散布されるようになっている。
【０００３】
【発明が解決しようとする課題】
従来の施肥装置付苗移植機にあっては、リヤステップ全面を施肥タンクや施肥ポンプ等で覆っていた為、苗補給性が悪く、作業能率の低下を招いていた。
【０００４】
【課題を解決するための手段】
この発明は、上記課題を解決すべく次のような技術的手段を講じた。
すなわち、本発明にかかる技術的手段は、ペースト状の肥料を施肥する施肥装置２６を備え、走行車体１の後側には苗植付装置７を備えてある田植機において、走行車体１に配設する運転席８の後側にリヤステップ９を設け、該ステップ９の近くには肥料移送用の施肥ポンプ３０を設けると共に、前記走行車体１の前部側に位置して操作ボックス４を挟む左右両側にステップフロア４１と施肥タンク２７と予備苗載台４０とを配設してあることを特徴とする。
【０００５】
【発明の効果】
従って、この発明によれば、リヤステップ９の近くに施肥ポンプ３０を配置し、施肥タンク２７は走行車体１の前部側に配置したので、リヤステップ９を有効利用することができて、苗植付装置７への苗補給作業が容易となり、作業能率の向上を図ることができた。
【０００６】
【発明の実施の形態】
この発明の実施例を図面に基づき説明する。
図１及び図２は、施肥装置付田植機を示すものであり、車体１の前後には走行車輪としての左右一対の前輪２，２及び後輪３，３が架設されている。車体上前部に操作ボックス４及びステアリングハンドル５等を有する操縦装置６が設置され、車体後方部には昇降可能な苗植付装置７が装備されている。操縦装置６の後側に運転席８が設置され、運転席の下側に田植機の各部に動力を伝達するエンジンＥが搭載され、該運転席の後側にはリヤステップ９が設けられている。尚、図１は、後述する浅層施肥装置１３を省略している。
【０００７】
苗植付装置７は、左右に往復動する苗載タンク１０、１株分の苗を切取って土中に植込む植込杆１１、苗植付面を整地するフロート１２、つまり、サイドフロート１２Ｌ，１２Ｒ及びセンターフロート１２Ｃ等からなる。
なお、フロート１２は、植付フレームＵＦに架設された軸１２ｓの回動操作により回動アーム１２ｋが上下動し、このアーム１２ｋとステー２０とをピン軸１２ｐにて連結することにより該フロート１２が昇降する構成である。
【０００８】
浅層施肥装置１３が次のように構成されている。一対の浅層用タンク１４，１４が車体１の左右において運転席８の後方外側寄りで、且つ、リヤステップ９よりも外側位置で前後方向に長く配置固定され、下部がパイプ１５で連結されている。各浅層用タンク１４，１４には上面の外寄りの位置に液肥供給口が設けられ、キャップ１６が施されている。浅層用施肥ポンプ１７が運転席８の背後でリヤステップの直ぐ下側に設けられ、これがエンジンＥの動力で作動すると、吸入管１８からパイプ１５内の液肥を吸い込み６本の吐出管１９から吐き出すようになっている。
【０００９】
ステー２０から突出の支持板２１に横軸２２が回動自在に支持されている。逆へ字型に曲がったノズル２３は、横軸２２に固定されていて一体的に回動する構成であり、フロート１２の張出部１２ａの後側で植込杆１１による植込位置よりやや内側に配置されている。弾性板でできたレバー２４を回動操作するとノズル２３が横軸２２とともに回動し、手を離すと回動した位置で止まる構成であり、そして、このノズル２３は上記の回動操作で上下に揺動し、フロート１２の下面から下方に突出したり、その下面に沿うように収納されたりし、突出させた状態が肥料散布時であり、収納させた状態が機体の移動時や機体格納時である。そして、前記吐出管１９の後端がフレキシブルチューブ２５でそれぞれのノズル２３の前端に接続され、浅層用施肥ポンプ１７から吐出される液肥が、ノズル２３から植込杆１１にて移植された苗の横側近くにおいて、地表面より泥土内に浅く散布されるようになっている。
【００１０】
深層施肥装置２６が次のように構成されている。一対の深層用施肥タンク２７，２７が操作ボックス４を挟む左右両側に配設され、下部がパイプ２８で連通されている。各タンク２７の上面には液肥供給口が設けられ、キャップ２９が施されている。そして、この左右のペーストタンク２７，２７より低位置において該タンク内の液肥を吸い込んで吐出する深層用施肥ポンプ３０がリヤステップ９の下側に設置されている。この深層用施肥ポンプ３０がエンジンＥの動力で作動するとパイプ２８を通して深層用施肥タンク２７内の液肥を吸い込み、３本の吐出管３１から吐き出すようになっている。
【００１１】
フロート１２の後部に固定されたステー３２には回動管３３が回動自在に支持されている。逆へ字型に曲がったノズル３４は、ステー３２の孔３２ａとフロート１２の孔１２ｂに差し込まれて、後端がフロート１２の下方に突出し、その前端が回動管３３に固定されて一体的に回動する構成である。弾性板でできたレバー３５を回動操作するとノズル３４が回動管３３とともに回動し、手を離すと回動した位置で止まる構成であり、そして、このノズル３４は上記の回動操作で上下に揺動し、フロート１２の下面から下方に突出したり、その下面に設けられた溝３６内に収納されたりする構成である。そして、前記吐出管３１の後端がフレキシブルチューブ３７でそれぞれのノズル３４の回動管３３に接続され、深層用施肥ポンプ３０から吐出される液肥が、フロート１２の両横の植込杆１１にて移植された一対の苗の間において、それぞれのノズル３４から、地表面より泥土内に深く散布されるようになっている。
【００１２】
施肥ポンプ１７，３０はリヤステップ９の直ぐ下側に設けられるが、施肥タンク２７は前記施肥ポンプ３０よりも上方に高く位置させて設けられる。従って、深層用施肥タンク２７，２７と深層用施肥ポンプ３０とを繋ぐパイプ２８の経路が一度走行車体１のステップフロア４１の下側を通る構成としても、深層用施肥タンク２７，２７の液肥が確実に前記深層用施肥ポンプ３０に供給され、ポンプ効率が良くなり、タンク内の液肥の残留も少なくなる。
【００１３】
変速装置３８は運転席８の背後でリヤステップ９上に設けられ、変速レバー３９の操作でポンプ３０による液肥の繰り出し量が任意に変更できるよう構成している。なお、図中、４０は予備苗載台を示す。
【図面の簡単な説明】
【図１】施肥装置付田植機の側面図
【図２】施肥装置付田植機の平面図
【図３】同上要部の平面図
【図４】同上要部の側面図
【図５】同上要部の切断側面図
【符号の説明】
１    車体                          ２    前輪
３    後輪                          ４    操作ボックス
５    ステアリングハンドル          ６    操縦装置
７    苗植付装置                    ８    運転席
９    リヤステップ                １０    苗載タンク
１１    植込杆                      １２    フロート
１３    浅層用施肥装置              １４    浅層用施肥タンク
１５    パイプ                      １７    浅層用施肥ポンプ
２３    ノズル                      ２６    深層用施肥装置
２７    深層用施肥タンク            ２８    パイプ
３０    深層用施肥ポンプ            ３４    ノズル
４０    予備苗載台 ４１    ステップフロア